(57)【要約】【課題】  転写電圧制御のための抵抗測定時における中間転写ベルトの回転量を減少させ，ウォームアップ時間等を短縮することができる画像形成装置および中間転写ベルトの抵抗値測定方法，画像形成方法を提供すること。【解決手段】  本発明の画像形成装置１は，中間転写ベルト１０に沿って各色の画像形成ユニット２０を有する。画像形成時の転写電圧制御のために，中間転写ベルト１０の抵抗値を測定するに際し，１次転写装置２６Ｋの位置と１次転写装置２６Ｙの位置とで同時にサンプリング開始する。そして，１次転写装置２６Ｋの位置では，中間ベルト１０のうちサンプリング開始時に１次転写装置２６Ｙの位置にあった箇所が１次転写装置２６Ｋの位置に達するまでの部分をサンプリングする。また，１次転写装置２６Ｙの位置では，その他の部分をサンプリングする。【選択図】            図１
2005148333.tif 000002
【特許請求の範囲】
【請求項１】
回転する中間転写ベルトと，前記中間転写ベルトに沿って配置された複数の画像形成部と，前記複数の画像形成部のそれぞれに対応して設けられた転写部材とを有し，前記複数の画像形成部でそれぞれ形成した画像を各転写部材により前記中間転写ベルト上に重ね転写する画像形成装置において，
前記複数の画像形成部および転写部材のうち前記中間転写ベルトの走行方向に上流側のものを用いて前記中間転写ベルトの抵抗値を測定する第１抵抗測定手段と，
前記複数の画像形成部および転写部材のうち前記中間転写ベルトの走行方向に下流側のものを用いて前記中間転写ベルトの抵抗値を測定する第２抵抗測定手段と，
前記第１抵抗測定手段および前記第２抵抗測定手段による抵抗値のサンプリングを行うサンプリング手段とを有し，
前記サンプリング手段は，
前記第１抵抗測定手段によるサンプリングを，前記中間転写ベルトのうちサンプリング開始時に前記第２抵抗測定手段による測定位置にあった箇所が，前記第１抵抗測定手段による測定位置に達するまで行い，
前記第２抵抗測定手段によるサンプリングを，前記中間転写ベルトのうちサンプリング開始時に前記第１抵抗測定手段による測定位置にあった箇所が，前記第２抵抗測定手段による測定位置に達するまで行うことを特徴とする画像形成装置。
【請求項２】
請求項１に記載する画像形成装置において，
前記サンプリング手段によりサンプリングされた抵抗値に基づいて，前記中間転写ベルトの全体についての代表抵抗値を算出する代表抵抗値算出手段を有し，
前記代表抵抗値算出手段により算出された代表抵抗値を，画像形成時の転写電圧制御に供することを特徴とする画像形成装置。
【請求項３】
回転する中間転写ベルトと，前記中間転写ベルトに沿って配置された複数の画像形成部と，前記複数の画像形成部のそれぞれに対応して設けられた転写部材とを有し，前記複数の画像形成部でそれぞれ形成した画像を各転写部材により前記中間転写ベルト上に重ね転写する画像形成装置における中間転写ベルトの抵抗値測定方法であって，
前記複数の画像形成部および転写部材のうち前記中間転写ベルトの走行方向に上流側のものを用いて前記中間転写ベルトの抵抗値を測定する第１抵抗測定手段と，
前記複数の画像形成部および転写部材のうち前記中間転写ベルトの走行方向に下流側のものを用いて前記中間転写ベルトの抵抗値を測定する第２抵抗測定手段とを用い，
前記第１抵抗測定手段によるサンプリングを，前記中間転写ベルトのうちサンプリング開始時に前記第２抵抗測定手段による測定位置にあった箇所が，前記第１抵抗測定手段による測定位置に達するまで行い，
前記第２抵抗測定手段によるサンプリングを，前記中間転写ベルトのうちサンプリング開始時に前記第１抵抗測定手段による測定位置にあった箇所が，前記第２抵抗測定手段による測定位置に達するまで行うことを特徴とする中間転写ベルトの抵抗値測定方法。
【請求項４】
回転する中間転写ベルトと，前記中間転写ベルトに沿って配置された複数の画像形成部と，前記複数の画像形成部のそれぞれに対応して設けられた転写部材とを有し，前記複数の画像形成部でそれぞれ形成した画像を各転写部材により前記中間転写ベルト上に重ね転写する画像形成装置における画像形成方法であって，
前記複数の画像形成部および転写部材のうち前記中間転写ベルトの走行方向に上流側のものを用いて前記中間転写ベルトの抵抗値を測定する第１抵抗測定手段と，
前記複数の画像形成部および転写部材のうち前記中間転写ベルトの走行方向に下流側のものを用いて前記中間転写ベルトの抵抗値を測定する第２抵抗測定手段とを用い，
前記第１抵抗測定手段によるサンプリングを，前記中間転写ベルトのうちサンプリング開始時に前記第２抵抗測定手段による測定位置にあった箇所が，前記第１抵抗測定手段による測定位置に達するまで行い，
前記第２抵抗測定手段によるサンプリングを，前記中間転写ベルトのうちサンプリング開始時に前記第１抵抗測定手段による測定位置にあった箇所が，前記第２抵抗測定手段による測定位置に達するまで行い，
サンプリングされた抵抗値に基づいて，前記中間転写ベルトの全体についての代表抵抗値を算出し，
算出された代表抵抗値に基づいて転写電圧制御を行うことを特徴とする画像形成方法。
【発明の詳細な説明】
【技術分野】
【０００１】
本発明は，コピー機，プリンタ等の画像形成装置およびその画像形成の制御のために行われる中間転写ベルトの抵抗値測定方法，その画像形成装置による画像形成方法に関する。さらに詳細には，タンデム方式のカラー画像形成装置および中間転写ベルトの抵抗値測定方法，画像形成方法に関するものである。
【背景技術】
【０００２】
従来より，中間転写ベルトに沿って各色の画像形成ユニットを並べたタンデム方式のカラー画像形成装置が知られている。このような画像形成装置では，複数の１次転写部や２次転写部の転写性能を環境変化等にかかわらず一定に保つために，適時に中間転写ベルト等の転写部位の電気的特性を検出している。これは，環境変化や耐用変動等によって，中間転写ベルト等の電気的特性が変化するからである。そして，その結果を利用して，画像形成時に各転写部に印加する転写電圧を決定する制御をしている。そのために，ウォームアップ時等に，各転写部にあらかじめ定められた規定電流値を流し，そのとき印加される電圧値を検出することにより，中間転写ベルトの抵抗値を求めている（例えば，特許文献１，特許文献２参照。）。
【０００３】
一般に，上記の電圧値の検出は，中間転写ベルトの１周分全体について行い，その平均値を用いる。これはベルトの厚さや組成にはややムラがあるため，一部分の検出では適切な制御が行えない場合があるからである。しかし，各１次転写部での検出ごとに，それぞれ中間転写ベルトを１周させていたら，非常に時間がかかる。そのため，例えば特許文献１に記載の画像形成装置では，各画像形成ユニットの１次転写部で同時に電圧値を検出している。あるいは，特許文献２に記載の画像形成装置では，互いに隣接しない各転写部材に印加される転写電圧をそれぞれ決定する制御を同時に行っている。
【特許文献１】特開２００１−１２５３３８号公報（第５−６頁）
【特許文献２】特開２００１−３５６５４１号公報（第５頁）
【発明の開示】
【発明が解決しようとする課題】
【０００４】
しかしながら，前記した従来の画像形成装置ではいずれも，ウォームアップ時等に中間転写ベルト全体の抵抗値を求めるため，中間転写ベルトを少なくとも１周分回転させている。中間転写ベルトは累積回転数によって耐用期間が定められているものであり，画像形成以外のために回転を繰り返すことはそれだけ寿命を短くする原因となる。さらに，この回転動作にかかる時間が，ウォームアップ時間のうちの大きな部分を占めている。これらのことから，できるだけウォームアップ中等の中間転写ベルトの回転量を減らしたいという要望があった。
【０００５】
本発明は，前記した従来の画像形成装置が有する問題点を解決するためになされたものである。すなわちその課題とするところは，転写電圧制御のための抵抗測定時における中間転写ベルトの回転量を減少させ，ウォームアップ時間等を短縮することができる画像形成装置および中間転写ベルトの抵抗値測定方法，画像形成方法を提供することにある。
【課題を解決するための手段】
【０００６】
この課題の解決を目的としてなされた本発明の画像形成装置は，回転する中間転写ベルトと，中間転写ベルトに沿って配置された複数の画像形成部と，複数の画像形成部のそれぞれに対応して設けられた転写部材とを有し，複数の画像形成部でそれぞれ形成した画像を各転写部材により中間転写ベルト上に重ね転写する画像形成装置であって，複数の画像形成部および転写部材のうち中間転写ベルトの走行方向に上流側のものを用いて中間転写ベルトの抵抗値を測定する第１抵抗測定手段と，複数の画像形成部および転写部材のうち中間転写ベルトの走行方向に下流側のものを用いて中間転写ベルトの抵抗値を測定する第２抵抗測定手段と，第１抵抗測定手段および第２抵抗測定手段による抵抗値のサンプリングを行うサンプリング手段とを有し，サンプリング手段は，第１抵抗測定手段によるサンプリングを，中間転写ベルトのうちサンプリング開始時に第２抵抗測定手段による測定位置にあった箇所が，第１抵抗測定手段による測定位置に達するまで行い，第２抵抗測定手段によるサンプリングを，中間転写ベルトのうちサンプリング開始時に第１抵抗測定手段による測定位置にあった箇所が，第２抵抗測定手段による測定位置に達するまで行うものである。
【０００７】
本発明の画像形成装置によれば，中間転写ベルトに沿って複数の画像形成部と転写部材とを有するので，これらのうち異なるもの（第１抵抗測定手段と第２抵抗測定手段）を用いることにより，中間転写ベルトの異なる位置の抵抗値が同時に測定される。ここで，サンプリング手段によれば，中間転写ベルトのうちサンプリング開始時に第２抵抗測定手段による測定位置にあった箇所が，第１抵抗測定手段による測定位置に達するまでのサンプリングが第１抵抗測定手段によって行われ，中間転写ベルトのうちサンプリング開始時に第１抵抗測定手段による測定位置にあった箇所が，第２抵抗測定手段による測定位置に達するまでのサンプリングが第２抵抗測定手段によって行われる。すなわち，第１抵抗測定手段と第２抵抗測定手段とで行われるサンプリング区間を合計すれば，中間転写ベルトの１周分全体のサンプリングが行われたこととなる。従って，これらのうち区間の長い方のサンプリングが行われている間に，他方のサンプリングが終了するようにすれば，中間転写ベルトを１周させる必要はない。これにより，転写電圧制御のための抵抗測定時における中間転写ベルトの回転量を減少させ，ウォームアップ時間等を短縮することができる。
【０００８】
さらに本発明では，サンプリング手段によりサンプリングされた抵抗値に基づいて，中間転写ベルトの全体についての代表抵抗値を算出する代表抵抗値算出手段を有し，代表抵抗値算出手段により算出された代表抵抗値を，画像形成時の転写電圧制御に供することが望ましい。
このようにすれば，画像形成時の転写電圧制御では，中間転写ベルトの全体についての代表抵抗値が使用される。
【０００９】
さらに本発明は，回転する中間転写ベルトと，中間転写ベルトに沿って配置された複数の画像形成部と，複数の画像形成部のそれぞれに対応して設けられた転写部材とを有し，複数の画像形成部でそれぞれ形成した画像を各転写部材により中間転写ベルト上に重ね転写する画像形成装置における中間転写ベルトの抵抗値測定方法であって，複数の画像形成部および転写部材のうち中間転写ベルトの走行方向に上流側のものを用いて中間転写ベルトの抵抗値を測定する第１抵抗測定手段と，複数の画像形成部および転写部材のうち中間転写ベルトの走行方向に下流側のものを用いて中間転写ベルトの抵抗値を測定する第２抵抗測定手段とを用い，第１抵抗測定手段によるサンプリングを，中間転写ベルトのうちサンプリング開始時に第２抵抗測定手段による測定位置にあった箇所が，第１抵抗測定手段による測定位置に達するまで行い，第２抵抗測定手段によるサンプリングを，中間転写ベルトのうちサンプリング開始時に第１抵抗測定手段による測定位置にあった箇所が，第２抵抗測定手段による測定位置に達するまで行う中間転写ベルトの抵抗値測定方法にも及ぶ。
【００１０】
さらに本発明は，回転する中間転写ベルトと，中間転写ベルトに沿って配置された複数の画像形成部と，複数の画像形成部のそれぞれに対応して設けられた転写部材とを有し，複数の画像形成部でそれぞれ形成した画像を各転写部材により中間転写ベルト上に重ね転写する画像形成装置における画像形成方法であって，複数の画像形成部および転写部材のうち中間転写ベルトの走行方向に上流側のものを用いて中間転写ベルトの抵抗値を測定する第１抵抗測定手段と，複数の画像形成部および転写部材のうち中間転写ベルトの走行方向に下流側のものを用いて中間転写ベルトの抵抗値を測定する第２抵抗測定手段とを用い，第１抵抗測定手段によるサンプリングを，中間転写ベルトのうちサンプリング開始時に第２抵抗測定手段による測定位置にあった箇所が，第１抵抗測定手段による測定位置に達するまで行い，第２抵抗測定手段によるサンプリングを，中間転写ベルトのうちサンプリング開始時に第１抵抗測定手段による測定位置にあった箇所が，第２抵抗測定手段による測定位置に達するまで行い，サンプリングされた抵抗値に基づいて，中間転写ベルトの全体についての代表抵抗値を算出し，算出された代表抵抗値に基づいて転写電圧制御を行う画像形成方法にも及ぶ。
【発明の効果】
【００１１】
本発明の画像形成装置および中間転写ベルトの抵抗値測定方法，画像形成方法によれば，転写電圧制御のための抵抗測定時における中間転写ベルトの回転量を減少させ，ウォームアップ時間等を短縮することができる。
【発明を実施するための最良の形態】
【００１２】
以下，本発明を具体化した最良の形態について，添付図面を参照しつつ詳細に説明する。本形態は，タンデム方式のカラー画像形成装置に本発明を適用したものである。
【００１３】
本形態の画像形成装置１は，図１にその要部の概略を示すように，タンデム構成のカラープリンタである。中間転写ベルト１０は，３つのローラ１１，１２，１３に巻きかけられ，図中矢印の方向へ回転される。また，ＹＭＣＫ各色の画像形成ユニット２０Ｙ，２０Ｍ，２０Ｃ，２０Ｋが中間転写ベルト１０に沿って並べられている。その各色の画像形成ユニット２０Ｙ，２０Ｍ，２０Ｃ，２０Ｋは，いずれも同じ構成であり，それぞれの感光体ドラム２１の周囲に，帯電装置２２，露光装置２３，現像装置２４，クリーナ装置２５が配置されたものである。ここでは，各色の添字ＹＭＣＫを省略して表記している。
【００１４】
さらに，中間転写ベルト１０を挟んで，各色の画像形成ユニット２０Ｙ，２０Ｍ，２０Ｃ，２０Ｋに対向して各色の１次転写装置２６Ｙ，２６Ｍ，２６Ｃ，２６Ｋが配置されている。また，図中右方には２次転写装置２７が，図中左方にはベルトクリーナ装置２８がそれぞれ設けられている。以上の構成はいずれも一般的なものであるので，詳細については省略する。
【００１５】
次に，図２に各１次転写装置２６Ｙ，２６Ｍ，２６Ｃ，２６Ｋ，２次転写装置２７に関する電気的構成の概略を示す。本形態の画像形成装置１では，図２に示すように，３つの１次転写装置２６Ｙ，２６Ｍ，２６Ｃに共通の１つの高圧電源（ＨＶ）３１が接続されている。また，１次転写装置２６Ｋに高圧電源３２が，２次転写装置２７に高圧電源３３がそれぞれ接続されている。さらに，高圧電源３１及び高圧電源３２は，ＣＰＵ３４に接続され，このＣＰＵ３４によって制御されている。さらに，高圧電源３１と１次転写装置２６Ｍとの間には，スイッチ３５が接続されている。
【００１６】
各高圧電源３１，３２は，ＣＰＵ３４の制御によって，各１次転写装置２６Ｙ，２６Ｍ，２６Ｃ，２６Ｋに所定の転写電圧を供給するものである。また，高圧電源３３は，２次転写装置２７に転写電圧を供給する。これらの高圧電源３１，３２，３３は，規定の電流値が流れるような電圧制御や，あるいは所定の電圧を印加させる電圧制御が可能である。ここで，４色のうちブラック（Ｋ）のみ別電源となっているのは，ブラックのトナーは他の３色のトナーとやや電気的性質が異なるためである。
【００１７】
また，ＣＰＵ３４は，画像形成装置１の全体の制御を行うものである。スイッチ３５は，その切り換えにより，高圧電源３１の電圧を１次転写装置２６Ｙのみに印加させることができる。あるいは，１次転写装置２６Ｙ，２６Ｍ，２６Ｃのすべてに印加させることもできる。なお，図２ではスイッチ３５のみを図示しているが，高圧電源３１の発生する電圧を，１次転写装置２６Ｙ，２６Ｍ，２６Ｃのいずれにも選択的に印加することができる構成も可能である。
【００１８】
次に，この画像形成装置１によるカラー画像形成動作についてごく簡単に説明する。まず，各色の画像形成ユニット２０Ｙ，２０Ｍ，２０Ｃ，２０Ｋによって，各色のトナー像がそれぞれの感光体ドラム２１Ｙ，２１Ｍ，２１Ｃ，２１Ｋ上に形成される。そして，各感光体ドラム２１Ｙ，２１Ｍ，２１Ｃ，２１Ｋ上のトナー像は，各１次転写装置２６Ｙ，２６Ｍ，２６Ｃ，２６Ｋによって中間転写ベルト１０の同じ位置に順に転写され，重ね合わされる。その後，ローラ１２と２次転写装置２７との間に用紙が供給され，重ね合わされたトナー像は２次転写装置２７によって用紙に転写される。
【００１９】
ここで，１次転写装置２６Ｙ，２６Ｍ，２６Ｃ，２６Ｋの転写性能を良好なものとするために，転写電圧制御処理を行う。すなわち，各１次転写装置２６Ｙ，２６Ｍ，２６Ｃ，２６Ｋと各感光体ドラム２１Ｙ，２１Ｍ，２１Ｃ，２１Ｋとの間に流される転写電流が，環境変化や耐久変動等にかかわらず最適な転写電流となるように，高圧電源３１，３２を制御するのである。これは，中間転写ベルト１０等の転写にかかわる部材の電気的性質が，環境変化等により変動することに対応している。
【００２０】
そのために，ウォームアップ時や所定枚数の画像形成後等にその状態の検出処理を行い，その結果に基づいて画像形成時の印加転写電圧の決定処理を行っている。検出処理では一般に，転写装置に規定電流値が流されるように高圧電源を制御（定電流制御）し，そのとき印加されている電圧値を検出することによって行う。あるいは，この逆に規定電圧値を印加し，流された電流値を測定することによってもよい。これによって，その転写区間の電気抵抗値を算出し，その抵抗値を基に，適正な転写電流を供給するための印加電圧を決定処理により決定するのである。
【００２１】
この画像形成装置１では，高圧電源３１，３２をともに備えているので，１次転写装置２６Ｙと１次転写装置２６Ｋとにそれぞれ規定電流値が流されるように，高圧電源３１と高圧電源３２とを同時に制御することができる。そして，同時にそれぞれの電圧値を検出することができる。ここで，各色の１次転写装置２６Ｙ，２６Ｍ，２６Ｃ，２６Ｋは，いずれも同じ材質で同じ大きさに形成されており，これらの電気的性質はほぼ同等である。すなわち，各１次転写装置２６Ｙ，２６Ｍ，２６Ｃ，２６Ｋの電気的なムラは，中間転写ベルト１０の抵抗値の変化に比較してずっと小さいものとなっている。このことから，高圧電源３１と１次転写装置２６Ｙとの組によっても，高圧電源３２と１次転写装置２６Ｋとの組によっても，ほぼ同条件での検出結果が得られる。
【００２２】
そこで，この２箇所で中間転写ベルト１０のそれぞれ異なる部分を同時に測定する。つまり，図２に矢印で示すように中間転写ベルト１０が回転されるので，１次転写装置２６Ｙの位置では，初めにローラ１１，１３，１２に架けられていた部分を含んで１次転写装置２６Ｋの位置にあった部分までの中間転写ベルト１０について高圧電源３１によって検出する。そして同時に，１次転写装置２６Ｋの位置では，初めに１次転写装置２６Ｋの位置にあった部分から１次転写装置２６Ｙの位置にあった部分までの中間転写ベルト１０について高圧電源３２によって検出する。すなわち，これらの２箇所で同時に検出することにより，中間転写ベルト１０を１周させることなく，１周分の検出処理を行うことができる。
【００２３】
次に，この検出処理の内容を図３のフローチャートを参照して説明する。この処理が開始されると，まず，ローラ１１，１２，１３により中間転写ベルト１０の回転を開始する（Ｓ１０１）。次に，ＣＰＵ３４によって高圧電源３１，３２を定電流制御し，１次転写装置２６Ｙ，２６Ｋにともに規定電流値が流されるようにする（Ｓ１０２）。そうしておいて，高圧電源３１，３２に印加されている電圧値を両方ともサンプリング開始する（Ｓ１０３）。このときの状態を図４に示す。この図中，位置Ｙは１次転写装置２６Ｙと感光体ドラム２１Ｙとの接点位置を示し，位置Ｋは１次転写装置２６Ｋと感光体ドラム２１Ｋとの接点位置を示している。区間Ａは，位置Ｙと位置Ｋとの間にある中間転写ベルト１０の部分を示している。
【００２４】
次に，サンプリング開始時に１次転写装置２６Ｙと感光体ドラム２１Ｙとの接点にあった中間転写ベルト１０が，１次転写装置２６Ｋと感光体ドラム２１Ｋとの接点まで回転されたかどうかを判断する（Ｓ１０４）。そこまで回転されたと判断された場合は（Ｓ１０４：Ｙｅｓ），高圧電源３２による１次転写装置２６Ｋの定電流制御と，高圧電源３２のサンプリングを停止する（Ｓ１０５）。このとき，中間転写ベルト１０は，図５の位置に達している。そして，図５中の区間Ａは，位置Ｋでの測定によってサンプリングが終了している。あるいは，Ｓ１０４で，まだそこまで回転されていないと判断された場合は（Ｓ１０４：Ｎｏ），さらにサンプリングを継続する。
【００２５】
次に，サンプリング開始時に１次転写装置２６Ｋと感光体ドラム２１Ｋとの接点にあった中間転写ベルト１０が，１次転写装置２６Ｙと感光体ドラム２１Ｙとの接点まで回転されたかどうかを判断する（Ｓ１０６）。そこまで回転されていないと判断された場合は（Ｓ１０６：Ｎｏ），Ｓ１０３に戻ってさらにサンプリングを継続する。あるいは，もうそこまで回転されたと判断された場合は（Ｓ１０６：Ｙｅｓ），高圧電源３１による１次転写装置２６Ｙの定電流制御と，高圧電源３１のサンプリングを停止する（Ｓ１０７）。このとき，中間転写ベルト１０は，図６の位置に達している。そして，区間Ａ以外の部分は，位置Ｙでの測定によってサンプリングが終了している。
【００２６】
これで，一周分の中間転写ベルト１０全体のサンプリングが終了したこととなるので，中間転写ベルト１０の駆動を停止する（Ｓ１０８）。そして，Ｓ１０３でサンプリングされた全てのデータを平均化する（Ｓ１０９）。Ｓ１０９で得られた平均値が代表抵抗値であり，これをＣＰＵ３４のＲＡＭ等に保存する（Ｓ１１０）。これで，検出処理を終了する。画像形成時には，このＳ１１０で保存されたデータを利用して，適正な転写電圧を決定する。
【００２７】
以上詳細に説明したように，本実施の形態の画像形成装置１によれば，高圧電源３１で１次転写装置２６Ｙを，高圧電源３２で１次転写装置２６Ｋを，それぞれ同時に定電流制御できる。そこで，中間転写ベルト１０の１周分の検出処理をこの２箇所で分担して同時に行うことにより，中間転写ベルト１０は，画像形成ユニット２０Ｋの位置にあった部分が画像形成ユニット２０Ｙの位置に到達するまで回転させればよい。従って，転写電圧制御のための抵抗測定時における中間転写ベルトの回転量を減少させ，ウォームアップ時間等を短縮することができる。
【００２８】
なお，本実施の形態は単なる例示にすぎず，本発明を何ら限定するものではない。したがって本発明は当然に，その要旨を逸脱しない範囲内で種々の改良，変形が可能である。
例えば，図１に示した転写装置以外の各構成は一例であり，中間転写ベルトを有するタンデム方式の画像形成装置であれば本発明を適用できる。
また例えば，各色の順序についてもこれに限るものではない。
【図面の簡単な説明】
【００２９】
【図１】本形態に係る画像形成装置の概略構成を示すブロック図である。
【図２】転写装置の電気的構成を示すブロック図である。
【図３】検出処理を示すフローチャート図である。
【図４】測定中の状態を示す説明図である。
【図５】測定中の状態を示す説明図である。
【図６】測定中の状態を示す説明図である。
【符号の説明】
【００３０】
１  画像形成装置
１０  中間転写ベルト
２０Ｙ，２０Ｍ，２０Ｃ，２０Ｋ  画像形成ユニット（画像形成部）
２６Ｙ，２６Ｍ，２６Ｃ，２６Ｋ  １次転写装置（転写部材）
３１  高圧電源（第２抵抗測定手段）
３２  高圧電源（第１抵抗測定手段）
３４  ＣＰＵ（サンプリング手段，代表抵抗値算出手段）
【図１】
2005148333.tif 000003
【図２】
2005148333.tif 000004
【図３】
2005148333.tif 000005
【図４】
2005148333.tif 000006
【図５】
2005148333.tif 000007
【図６】
2005148333.tif 000008